(57)【特許請求の範囲】
【請求項１】
原稿台にセットされた原稿を読み取る原稿読取り部と、
表示パネルを持ち、前記原稿に関する条件の設定操作に少なくとも使用される操作部と、
制御部と、
を備え、
前記制御部は、
（i）前記原稿台に前記原稿がセットされたとき、第１イメージ像が描かれた複数の第１アイコンを前記表示パネルに表示させる処理であって、前記第１イメージ像は、前記原稿台にセットされている前記原稿と用紙の向きが一致した前記原稿のイメージ像であり、且つ、前記第１イメージ像には、前記第１アイコンごとに異なる前記原稿の天辺の向きが表記されている、処理と、
（ii）前記処理（i）後に前記第１アイコンの１つが前記操作部を通じて選択されたとき、選択された前記第１アイコンに対応する前記用紙の向き及び前記天辺の向きを前記原稿に関する条件として設定する処理と、
（iii）前記原稿に関する条件として、前記原稿台にセットされた前記原稿の片面及び両面の何れを読取り面とすべきかを、前記操作部にて選択することを可能ならしめる処理と、
（iv）前記処理（i）後に前記第１アイコンの１つが前記操作部を通じて選択され、且つ、前記処理（iii）後に前記原稿の両面を前記読取り面とすべきことが前記操作部を通じて選択されたとき、第２イメージ像が描かれた複数の第２アイコンを前記表示パネルに表示させる処理であって、前記第２イメージ像は、選択された前記第１アイコンに描かれている前記第１イメージ像と前記用紙の向き及び前記天辺の向きが同じ前記原稿のイメージ像であり、且つ、前記第２イメージ像には、前記第２アイコンごとに異なる原稿綴じ位置が表記されている、処理と、
を実行する、画像形成装置。
【請求項２】
前記制御部は、
（v）前記処理（iv）後に前記第２アイコンの１つが前記操作部を通じて選択されたとき、選択された前記第２アイコンに対応する前記原稿綴じ位置を前記原稿に関する条件として追加設定する処理、
を更に実行する、請求項１に記載の画像形成装置。
【請求項３】
前記原稿読取り部により読み取られた前記原稿の画像を用紙に印刷する印刷処理部を更に備え、前記操作部は、印刷条件の設定操作にも使用され、
前記制御部は、
（vi）前記処理（i）後に前記第１アイコンの１つが前記操作部を通じて選択され、その後、前記印刷処理部による印刷後の前記用紙の仕上綴じ位置を、前記印刷条件として前記操作部にて設定することを可能ならしめるとき、第３イメージ像が描かれた複数の第３アイコンを前記表示パネルに表示させる処理であって、前記第３イメージ像は、選択された前記第１アイコンに描かれている前記第１イメージ像と前記用紙の向き及び前記天辺の向きが同じ印刷後の前記用紙のイメージ像であり、且つ、前記第３イメージ像には、前記第３アイコンごとに異なる前記仕上綴じ位置が表記されている、処理と、
（vii）前記処理（vi）後に前記第３アイコンの１つが前記操作部を通じて選択されたとき、選択された前記第３アイコンに対応する前記仕上綴じ位置を前記印刷条件として設定する処理と、
を更に実行する、請求項１又は２に記載の画像形成装置。
【請求項４】
前記制御部は、
（viii）前記印刷条件として、印刷に使用される前記用紙の片面及び両面の何れを印刷面とすべきかを、前記操作部にて選択することを可能ならしめる処理、
を更に実行し、
前記処理（i）後に前記第１アイコンの１つが前記操作部を通じて選択され、且つ、前記処理（viii）後に前記用紙の両面を前記印刷面とすべきことが前記操作部を通じて選択されたとき、前記制御部は、前記処理（vi）にて前記複数の第３アイコンを前記表示パネルに表示させる、請求項３に記載の画像形成装置。
【発明の詳細な説明】
【技術分野】
【０００１】
本発明は、画像形成装置に関し、特に動作条件等の設定時に適用される技術に関する。
【背景技術】
【０００２】
複合機等の画像形成装置は、通常、原稿台にセットされた原稿を読み取る原稿読取り部と、原稿に関する条件の設定操作に少なくとも使用される操作部とを備える（例えば、特許文献１）。原稿に関する条件には、例えば、原稿台にセットされた原稿の用紙の向き、天辺（原稿を通常見るときに原稿の上辺となる辺）の向き、綴じ位置などの設定項目が含まれる。
【０００３】
そして、上記原稿に関する条件の設定は、次の様に行われる。先ず、操作部の表示パネルに、各設定項目に応じた複数の選択肢がアイコンで表示される。次に、何れかのアイコンをユーザが選択することにより、そのアイコンに対応する条件内容が原稿に関する条件として設定される。そして、これらのアイコンには、通常、それぞれに対応付けられている条件内容を示した文字やイメージ像（例えば、綴じ位置が示された原稿のイメージ像）が表記されている。
【先行技術文献】
【特許文献】
【０００４】
【特許文献１】特開２００７−３２９５３５号公報
【発明の概要】
【発明が解決しようとする課題】
【０００５】
しかしながら、従来の画像形成装置では、アイコンに描かれている原稿のイメージ像は、必ずしも、原稿台にセットされている原稿と用紙の向きや天辺の向きが一致してはいなかった。
【０００６】
一方、ユーザは、アイコンに記載されている文字を認識するよりも、アイコンに描かれている原稿のイメージ像から、そのアイコンに対応付けられている条件内容を視覚的に認識する傾向にある。このため、原稿台にセットされた原稿の用紙の向きや天辺の向きと、アイコンに描かれているイメージ画像が表す原稿の用紙の向きや天辺の向きと、が一致していない場合、ユーザは、アイコンに対応付けられている条件内容を誤認すると共にアイコンを誤って選択し、その結果として、意図とは異なる条件内容で原稿に関する条件が設定されてしまう虞があった。
【０００７】
そこで本発明の目的は、原稿に関する条件を設定するときの正確性を向上させることが可能な画像形成装置を提供することである。
【課題を解決するための手段】
【０００８】
本発明に係る画像形成装置は、原稿読取り部と、操作部と、制御部とを備える。原稿読取り部は、原稿台にセットされた原稿を読み取る。操作部は、表示パネルを持ち、原稿に関する条件の設定操作に少なくとも使用される。制御部は、処理（i）及び（ii）を実行する。即ち、原稿台に原稿がセットされたとき、制御部は、処理（i）において、第１イメージ像が描かれた複数の第１アイコンを表示パネルに表示させる。ここで、第１イメージ像は、原稿台にセットされている原稿と用紙の向きが一致した原稿のイメージ像であり、且つ、第１イメージ像には、第１アイコンごとに異なる原稿の天辺の向きが表記されている。そして、処理（i）後に第１アイコンの１つが操作部を通じて選択されたとき、制御部は、処理（ii）において、その選択された第１アイコンに対応する用紙の向き及び天辺の向きを原稿に関する条件として設定する。
【０００９】
上記画像形成装置によれば、原稿に関する条件（天辺の向き）の設定時に、原稿台にセットされている原稿と用紙の向きが一致した第１イメージ像が描かれている第１アイコンが表示される。従って、ユーザは、第１アイコンの各々に描かれている第１イメージ像から、その第１アイコンに対応付けられている条件内容を容易に認識することができる。よって、ユーザは、表示されている第１アイコンの中から、原稿の読取り（天辺の向き）に関する意図した条件内容に対応するものを容易に選択することができる。
【００１０】
上記画像形成装置の具体的な構成において、制御部は、処理（iii）〜（v）を更に実行する。即ち、処理（iii）において、制御部は、原稿に関する条件として、原稿台にセットされた原稿の片面及び両面の何れを読取り面とすべきかを、操作部にて選択することを可能ならしめる。処理（i）後に第１アイコンの１つが操作部を通じて選択され、且つ、処理（iii）後に原稿の両面を読取り面とすべきことが操作部を通じて選択されたとき、制御部は、処理（iv）において、第２イメージ像が描かれた複数の第２アイコンを表示パネルに表示させる。ここで、第２イメージ像は、選択された第１アイコンに描かれている第１イメージ像と用紙の向き及び天辺の向きが同じ原稿のイメージ像であり、且つ、第２イメージ像には、第２アイコンごとに異なる原稿綴じ位置が表記されている。そして、処理（iv）後に第２アイコンの１つが操作部を通じて選択されたとき、制御部は、処理（v）において、その選択された第２アイコンに対応する原稿綴じ位置を原稿に関する条件として追加設定する。
【００１１】
上記構成によれば、原稿に関する条件（原稿綴じ位置）の設定時に、原稿台にセットされている原稿と用紙の向き及び天辺の向きが一致した第２イメージ像が描かれている第２アイコンが表示される。従って、ユーザは、第２アイコンの各々に描かれている第２イメージ像から、その第２アイコンに対応付けられている条件内容を容易に認識することができる。よって、ユーザは、表示されている第２アイコンの中から、原稿の読取り（原稿綴じ位置）に関する意図した条件内容に対応するものを容易に選択することができる。
【００１２】
上記画像形成装置の他の具体的な構成において、画像形成装置は、原稿読取り部により読み取られた原稿の画像を用紙に印刷する印刷処理部を更に備え、操作部は、印刷条件の設定操作にも使用される。そして、制御部は、処理（vi）及び（vii）を更に実行する。即ち、処理（i）後に第１アイコンの１つが操作部を通じて選択され、その後、印刷処理部による印刷後の用紙の仕上綴じ位置を、印刷条件として操作部にて設定することを可能ならしめるとき、制御部は、処理（vi）において、第３イメージ像が描かれた複数の第３アイコンを表示パネルに表示させる。ここで、第３イメージ像は、選択された第１アイコンに描かれている第１イメージ像と用紙の向き及び天辺の向きが同じ印刷後の用紙のイメージ像であり、且つ、第３イメージ像には、第３アイコンごとに異なる仕上綴じ位置が表記されている。そして、処理（vi）後に第３アイコンの１つが操作部を通じて選択されたとき、制御部は、処理（vii）において、その選択された第３アイコンに対応する仕上綴じ位置を印刷条件として設定する。
【００１３】
より具体的な構成において、制御部は、処理（vii）を更に実行する。即ち、処理（viii）において、制御部は、印刷条件として、印刷に使用される用紙の片面及び両面の何れを印刷面とすべきかを、操作部にて選択することを可能ならしめる。そして、処理（i）後に第１アイコンの１つが操作部を通じて選択され、且つ、処理（viii）後に用紙の両面を印刷面とすべきことが操作部を通じて選択されたとき、制御部は、処理（vi）にて複数の第３アイコンを表示パネルに表示させる。
【００１４】
上記構成によれば、印刷条件（仕上綴じ位置）の設定時に、原稿台にセットされている原稿と用紙の向き及び天辺の向きが一致した第３イメージ像が描かれている第３アイコンが表示される。従って、ユーザは、第３アイコンの各々に描かれている第３イメージ像から、その第３アイコンに対応付けられている条件内容を容易に認識することができる。よって、ユーザは、表示されている第３アイコンの中から、印刷（仕上綴じ位置）に関する意図した条件内容に対応するものを容易に選択することができる。その結果として、印刷条件に関する設定の正確性が向上することになる。
【発明の効果】
【００１５】
本発明に係る画像形成装置によれば、原稿に関する条件を設定するときの正確性を向上させることができる。
【図面の簡単な説明】
【００１６】
【図１】本発明の実施形態に係る画像形成装置を概念的に示した斜視図である。
【図２】画像形成装置のブロック図である。
【図３】（ａ）用紙の向きが縦向きとなる様に原稿台に原稿がセットされた原稿読取り部、及び（ｂ）用紙の向きが横向きとなる様に原稿台に原稿がセットされた原稿読取り部をそれぞれ示した平面図である。
【図４】操作部、及び操作部が持つタッチディスプレイパネルに表示される機能選択画面を示した概念図である。
【図５】タッチディスプレイパネルに表示される設定画面（コピー機能）を示した概念図である。
【図６】第１実施形態にて制御部が実行する処理の流れを示したフローチャートである。
【図７】コピー面設定処理の流れを示したフローチャートである。
【図８】タッチディスプレイパネルに表示される（ａ）第１指定画面及び（ｂ）第２指定画面をそれぞれ示した概念図である。
【図９】（ａ）タッチディスプレイパネルに表示される第１詳細設定画面、及び（ｂ）その画面にて原稿綴じ位置及び仕上綴じ位置に関するアイコンが何れも表示された状態をそれぞれ示した概念図である。
【図１０】第１詳細設定画面において、（ａ）仕上綴じ位置に関するアイコンのみが表示された状態、及び（ｂ）原稿綴じ位置に関するアイコンのみが表示された状態をそれぞれ示した概念図である。
【図１１】（ａ）タッチディスプレイパネルに表示される第２詳細設定画面、及び（ｂ）その画面にて原稿綴じ位置及び仕上綴じ位置に関するアイコンが何れも表示された状態をそれぞれ示した概念図である。
【図１２】（ａ）タッチディスプレイパネルに表示される第３詳細設定画面、及び（ｂ）その画面にて原稿綴じ位置及び仕上綴じ位置に関するアイコンが何れも表示された状態をそれぞれ示した概念図である。
【図１３】（ａ）タッチディスプレイパネルに表示される第４詳細設定画面、及び（ｂ）その画面にて原稿綴じ位置及び仕上綴じ位置に関するアイコンが何れも表示された状態をそれぞれ示した概念図である。
【図１４】仕上げ設定処理の流れを示したフローチャートである。
【図１５】タッチディスプレイパネルに表示される（ａ）第５詳細設定画面及び（ｂ）第６詳細設定画面をそれぞれ示した概念図である。
【図１６】タッチディスプレイパネルに表示される設定画面（スキャン機能）を示した概念図である。
【図１７】第２実施形態にて制御部が実行する処理の流れを示したフローチャートである。
【図１８】タッチディスプレイパネルに表示される（ａ）第７詳細設定画面及び（ｂ）第８詳細設定画面をそれぞれ示した概念図である。
【図１９】タッチディスプレイパネルに表示される（ａ）第９詳細設定画面及び（ｂ）第１０詳細設定画面をそれぞれ示した概念図である。
【発明を実施するための形態】
【００１７】
以下、本発明の実施形態について、図面に沿って説明する。
【００１８】
［１］第１実施形態
［１−１］画像形成装置の構成
図１及び図２に示される様に、画像形成装置は、原稿読取り部１、給紙部２、画像処理部３、排紙部４、操作部５、記憶部６、制御部７、印刷処理部８１、及び送受信部８２を備える。本実施形態において、画像形成装置は、様々な機能（コピー機能、ファクシミリ送信機能、スキャン機能、プリンタ機能、イメージ送信機能など）を持った複合機である。又、画像形成装置は、それが持つ機能ごとに複数の動作条件を設定することが可能なものである。そして、動作条件には、原稿に関する条件や、印刷条件などが含まれる。原稿に関する条件には、原稿の読取り条件や、読み取られた原稿についての画像処理条件が含まれる。
【００１９】
原稿読取り部１は、自動原稿送り機能を備え、原稿台１１にセットされた原稿を順次送りながら光学的に読み取り、これにより原稿の画像データを生成する。原稿台１１には、原稿は、その用紙の向きが縦向き又は横向きの何れかとなる様にセットされる。ここで、「縦向き」とは、図３（ａ）に示される様に、原稿の送り方向Ｄ１に垂直な方向と用紙の長手方向とが一致する向きである。又、「横向き」とは、図３（ｂ）に示される様に、原稿の送り方向Ｄ１と用紙の長手方向とが一致する向きである。
【００２０】
本実施形態において、原稿読取り部１は、原稿台１１にセットされた原稿を検知する機能と、原稿台１１にセットされた原稿について長さＬ１及び長さＬ２をそれぞれ検出する機能とを備える。ここで、長さＬ１は、原稿の送り方向Ｄ１に垂直な方向についての原稿の幅であり、長さＬ２は、原稿の送り方向Ｄ１についての原稿の幅である。そして、後述する様に、セットされた原稿の用紙の向き（縦向き又は横向き）が、原稿読取り部１により検出される長さＬ１及びＬ２に基づいて判断される。
【００２１】
原稿読取り部１にて生成された画像データは、画像処理部３に入力される。画像処理部３は、選択された機能及び設定された動作条件に応じて、補正処理やフィルタ処理等、様々な画像処理を画像データに施す。そして、画像処理後の画像データは、コピー機能が選択されている場合には印刷処理部８１に入力され、ファクシミリ送信機能やスキャン機能が選択されている場合には送受信部８２に入力される。
【００２２】
印刷処理部８１は、入力された画像データに基づき電子写真方式の画像形成処理を行うと共に、給紙部２から供給されるコピー用紙に画像印刷を行う。又、印刷処理部８１は、印刷後のコピー用紙を排紙部４に出力する。このとき、印刷処理部８１は、設定されている動作条件に応じて印刷後の複数枚のコピー用紙にステープル処理やパンチング処理を施すことにより、印刷後の用紙を１つに纏めて排紙部４に出力することができる。尚、コピー用紙には、普通紙や印画紙等の紙材のシートに限らず、ＯＨＰフィルム等の樹脂材のシート、更にはその他の種々の材料から形成されたシートが含まれる。
【００２３】
送受信部８２は、ネットワークを介して画像データの送受信を行う。具体的には、送受信部８２は、パーソナルコンピュータ等の外部接続装置から画像データを受信する機能と、外部接続装置へ画像データを送信する機能とを備える。送信の例として、送受信部８２は、画像処理部３から入力された画像データを、ネットワーク等を介して外部接続装置へ送信する。
【００２４】
操作部５は、タッチディスプレイパネル５１と静電容量式ボタン５２とを含み（図４参照）、ユーザインタフェースとして機能する。即ち、操作部５は、ユーザからの操作指令が入力される入力部としての機能と、ユーザに対して設定画面や動作状況等の情報を与える表示部としての機能とを有する。本実施形態では、タッチディスプレイパネル５１は、原稿に関する条件（読取り条件、画像処理条件）の設定操作及び印刷条件の設定操作に少なくとも使用される。又、静電容量式ボタン５２は、例えば、タッチディスプレイパネル５１の表示画面をホーム画面へ移行させる操作に使用される。
【００２５】
記憶部６には、画像形成装置の各部の制御に用いられる制御パラメータの設定値等が記憶されている。又、記憶部６には、タッチディスプレイパネル５１に表示させる設定画面用の画像データ等が記憶されている。そして、制御部７は、操作部５にて選択された機能及び設定された動作条件の内容に応じて、画像形成装置の各部を制御する。具体的には、制御部７は、操作部５での設定内容を満たすことのできる制御パラメータの設定値等を記憶部６から読み出し、読み出した設定値等に基づいて画像形成装置の各部を制御する。尚、制御部７には、画像形成装置の制御を統括するメイン制御部７１と、操作部５を主に制御する操作制御部７２とが含まれている。
【００２６】
［１−２］画像形成装置の制御
次に、画像形成装置において制御部７が行う制御について説明する。以下では、主に画像形成装置に発揮させる機能の選択及び動作条件の設定に関連する制御について、詳細に説明する。
【００２７】
≪機能選択≫
図４には、タッチディスプレイパネル５１に表示される機能選択画面が示されている。この機能選択画面には、画像形成装置が持つ機能ごとに、その機能についての設定画面を表示させるアイコンＩｎが配されている。図４において、アイコンＩｎは、コピー機能、ファクシミリ送信機能（図中では、「ファクシミリ送信」が「ファックス」と略されている。）、及びスキャン機能の各々に対応するものである。尚、機能選択画面には、これらの機能に限定されない種々の機能に対応するアイコンＩｎが表示されてもよい。
【００２８】
機能選択画面にて何れかのアイコンＩｎが選択されたとき、制御部７は、図５に示される様に、選択されたアイコンＩｎに対応する機能についての設定画面をタッチディスプレイパネル５１に表示させる。このとき、設定画面には、設定可能な動作条件ごとに、その動作条件についての詳細設定画面を表示させるアイコンＩｍ１や、入力等により動作条件の設定が実行される設定領域Ｉｐ１が表示される。
【００２９】
≪動作条件設定≫
図５には、機能選択画面（図４参照）にてコピー機能のアイコンＩｎが選択されたときに表示される設定画面が示されている。そして、この設定画面において、設定領域Ｉｐ１は、コピー枚数の設定（数字の入力）が可能な画像領域である。アイコンＩｍ１は、コピー枚数以外の動作条件の各々に対応するものであり、アイコンＩｍ１として、コピーカラー、用紙サイズ、コピー面、コピー濃度、仕上げの各々に対応したものが表示されている。一方、それら以外の動作条件にそれぞれ対応するアイコンＩｍ１は、「他の動作条件」と表記された１つのアイコンＩｍ０に集約されている。
【００３０】
ユーザが、タッチディスプレイパネル５１に設定画面（図５参照）を表示させた後に原稿台１１に原稿をセットするか、或いは原稿台１１に原稿をセットした後に機能選択画面（図４参照）にてコピー機能のアイコンＩｎを選択したとき、制御部７は、図６に示されるフローチャートに従って以下の処理を実行する。
【００３１】
先ず、制御部７は、原稿読取り部１にて原稿が検知されたか否かを判断する（ステップＳ１０１）。そして、ステップＳ１０１にて「原稿が検知された（Ｙｅｓ）」と判断されたとき、制御部７は、原稿台１１にセットされている原稿の長さＬ１及びＬ２を原稿読取り部１に検出させる（ステップＳ１０２）。そして、制御部７は、検出された長さＬ１及びＬ２のデータを原稿読取り部１から受け取る。
【００３２】
その後、制御部７は、設定画面（図５参照）でのユーザの操作に応じて処理を実行する（ステップＳ１０３）。具体的には、次の通である。設定画面にてコピー面設定用のアイコンＩｍ１が選択されたとき、制御部７は、コピー面設定処理を実行する（ステップＳ１０４）。設定画面にて仕上げ設定用のアイコンＩｍ１が選択されたとき、制御部７は、仕上げ設定処理を実行する（ステップＳ１０５）。設定画面にて他の動作条件についての設定用のアイコンＩｍ１が選択されたとき、制御部７は、他の動作条件の設定処理を実行する（ステップＳ１０６）。
【００３３】
＜コピー面設定＞
コピー面設定処理（ステップＳ１０４）では、制御部７は、図７に示されるフローチャートに従って処理を実行する。先ず、制御部７は、原稿読取り部１から受け取ったデータに基づき、長さＬ１が長さＬ２より大きいか否かを判断する（ステップＳ２０１）。より具体的には、用紙の向きが縦向きとなる様に原稿台１１に原稿がセットされている場合、長さＬ１が長さＬ２より大きくなるため、制御部７は、ステップＳ２０１にて「長さＬ１が長さＬ２より大きい（Ｙｅｓ）」と判断する。一方、用紙の向きが横向きとなる様に原稿台１１に原稿がセットされている場合、長さＬ１が長さＬ２より小さくなるため、制御部７は、ステップＳ２０１にて「長さＬ１が長さＬ２より大きくない（Ｎｏ）」と判断する。
【００３４】
そして、ステップＳ２０１にて「長さＬ１が長さＬ２より大きい（Ｙｅｓ）」と判断されたとき、制御部７は、図８（ａ）に示される第１指定画面をタッチディスプレイパネル５１に表示させる（ステップＳ２０２）。このとき、第１指定画面には、用紙の向きが縦向きである原稿について、天辺の向きの指定（ユーザ指定）を可能ならしめる複数のアイコンＩａ１１が表示される。そして、これらのアイコンＩａ１１には、次の様なイメージ像Ｐａ１１が描かれている。即ち、イメージ像Ｐａ１１は、原稿台１１にセットされている原稿（図３（ａ）参照）と用紙の向きが縦向きで一致した原稿のイメージ像であり、且つ、イメージ像Ｐａ１１には、アイコンＩａ１１ごとに異なる原稿の天辺の向きが表記されている。
【００３５】
図８（ａ）に示される第１指定画面では、２つのアイコンＩａ１１が表示されると共に、天辺の向きが文字Ａの向きで表されている。具体的には、文字Ａの向きにより、左側のアイコンＩａ１１では天辺の向きが上向きであることが表され、右側のアイコンＩａ１１では天辺の向きが左向きであることが表されている。尚、第１指定画面には、表記される天辺の向きが上向きや左向きであるアイコンＩａ１１に限らず、表記される天辺の向きが別の向き（下向きや右向き）であるアイコンＩａ１１が表示されてもよい。
【００３６】
一方、ステップＳ２０１にて「長さＬ１が長さＬ２より大きくない（Ｎｏ）」と判断されたとき、制御部７は、図８（ｂ）に示される第２指定画面をタッチディスプレイパネル５１に表示させる（ステップＳ２０３）。このとき、第２指定画面には、用紙の向きが横向きである原稿について、天辺の向きの指定（ユーザ指定）を可能ならしめる複数のアイコンＩａ１２が表示される。そして、これらのアイコンＩａ１２には、次の様なイメージ像Ｐａ１２が描かれている。即ち、イメージ像Ｐａ１２は、原稿台１１にセットされている原稿（図３（ｂ）参照）と用紙の向きが横向きで一致した原稿のイメージ像であり、且つ、イメージ像Ｐａ１２には、アイコンＩａ１２ごとに異なる原稿の天辺の向きが表記されている。
【００３７】
図８（ｂ）に示される第２指定画面では、２つのアイコンＩａ１２が表示されると共に、天辺の向きが文字Ａの向きで表されている。具体的には、文字Ａの向きにより、左側のアイコンＩａ１２では天辺の向きが上向きであることが表され、右側のアイコンＩａ１２では天辺の向きが左向きであることが表されている。尚、第２指定画面には、表記される天辺の向きが上向きや左向きであるアイコンＩａ１２に限らず、表記される天辺の向きが別の向き（下向きや右向き）であるアイコンＩａ１２が表示されてもよい。
【００３８】
第１指定画面（図８（ａ）参照）の表示後、アイコンＩａ１１の１つがタッチディスプレイパネル５１を通じて選択されたとき、制御部７は、選択されたアイコンＩａ１１に対応する用紙の向き及び天辺の向きを原稿に関する条件（読取り条件）として設定すると共に、選択されたアイコンＩａ１１に応じて画面を切り替える（ステップＳ２０４）。このとき、制御部７は、用紙の向き及び天辺の向きを原稿に関する条件として記憶部６に記憶させてもよい。
【００３９】
具体的には、第１指定画面にて、天辺の向きが上向きであるアイコンＩａ１１が選択されたとき、制御部７は、用紙の向き及び天辺の向き（原稿に関する条件）をそれぞれ縦向き及び上向きに設定する。更に、制御部７は、図９（ａ）に示されるコピー面設定用の第１詳細設定画面をタッチディスプレイパネル５１に表示させる（ステップＳ２０６）。このとき、第１詳細設定画面には、用紙の向きが縦向きであって且つ天辺の向きが上向きである原稿について、原稿の読取り面及びコピー用紙の印刷面の指定（ユーザ指定）を可能ならしめる複数のアイコンＩｂ１１が表示される。
【００４０】
そして、これらのアイコンＩｂ１１には、次の様なイメージ像Ｐｂ１１が描かれている。即ち、イメージ像Ｐｂ１１は、右向き矢印の左側に描かれた原稿の画像と、右向き矢印の右側に描かれた印刷後のコピー用紙の画像とから構成されている。これらの画像は、第１詳細設定画面に至る過程で第１指定画面にて選択された左側のアイコンＩａ１１に描かれているイメージ像Ｐａ１１（図８（ａ）参照）と用紙の向き及び天辺の向きがそれぞれ縦向き及び上向きで一致している。よって、これらの画像は、原稿台１１にセットされている原稿（図３（ａ）参照）と用紙の向き及び天辺の向きがそれぞれ同じ縦向き及び上向きになっている。又、これらの画像は、読取り面が片面及び両面の何れに指定されるのかをユーザに視覚的に認識させると共に、印刷面が片面及び両面の何れに指定されるのかをユーザに視覚的に認識させるものである。更に、アイコンＩｂ１１の各々には、読取り面及び印刷面に関する情報（即ち、片面又は両面）を示す文字が表記されている。
【００４１】
図９（ａ）に示される第１詳細設定画面では、３つのアイコンＩｂ１１が表示されると共に、各アイコンＩｂ１１には次の様なイメージ像Ｐｂ１１が描かれている。即ち、上段のアイコンＩｂ１１に描かれたイメージ像Ｐｂ１１は、指定される読取り面及び印刷面がそれぞれ片面及び両面であることを表している。中段のアイコンＩｂ１１に描かれたイメージ像Ｐｂ１１は、指定される読取り面及び印刷面が何れも両面であることを表している。下段のアイコンＩｂ１１に描かれたイメージ像Ｐｂ１１は、指定される読取り面及び印刷面がそれぞれ両面及び片面であることを表している。
【００４２】
この様な第１詳細設定画面の表示により、制御部７は、原稿に関する条件（読取り条件）として、原稿台１１にセットされた原稿の片面及び両面の何れを読取り面とすべきかを、タッチディスプレイパネル５１にて選択することを可能ならしめる。これに加えて、制御部７は、印刷条件として、印刷に使用されるコピー用紙の片面及び両面の何れを印刷面とすべきかを、タッチディスプレイパネル５１にて選択することを可能ならしめる。
【００４３】
第１詳細設定画面（図９（ａ）参照）の表示後、アイコンＩｂ１１の１つがタッチディスプレイパネル５１を通じて選択されたとき、制御部７は、用紙の向き及び天辺の向きに加えて、選択されたアイコンＩｂ１１に対応する読取り面を原稿に関する条件として設定する。このとき、制御部７は、用紙の向き及び天辺の向きに加えて、読取り面を原稿に関する条件として記憶部６に更に記憶させてもよい。又、制御部７は、選択されたアイコンＩｂ１１に対応する印刷面を印刷条件として設定する。このとき、制御部７は、印刷面を印刷条件として記憶部６に記憶させてもよい。
【００４４】
更に、制御部７は、選択されたアイコンＩｂ１１に応じて、原稿の綴じ位置（以下、「原稿綴じ位置」と称す。）の指定（ユーザ指定）を可能ならしめる複数のアイコンＩｃ１１と、印刷後のコピー用紙の綴じ位置（以下、「仕上綴じ位置」と称す。）の指定（ユーザ指定）を可能ならしめる複数のアイコンＩｄ１１とを、第１詳細設定画面に選択的に表示する。具体的には、選択されたアイコンＩｂ１１が読取り面を両面に指定するものであった場合、制御部７は、アイコンＩｃ１１を第１詳細設定画面に表示する（図９（ｂ）及び図１０（ｂ）参照）。又、選択されたアイコンＩｂ１１が印刷面を両面に指定するものであった場合、制御部７は、アイコンＩｄ１１を第１詳細設定画面に表示する（図９（ｂ）参照及び図１０（ａ））。
【００４５】
そして、アイコンＩｃ１１には、次の様なイメージ像Ｐｃ１１が描かれている。即ち、イメージ像Ｐｃ１１は、選択されたアイコンＩｂ１１に描かれているイメージ像Ｐｂ１１と用紙の向き及び天辺の向きがそれぞれ同じ縦向き及び上向きである原稿のイメージ像であり、且つ、イメージ像Ｐｃ１１には、アイコンＩｃ１１ごとに異なる原稿綴じ位置が表記されている。換言すれば、イメージ像Ｐｃ１１は、第１詳細設定画面に至る過程で第１指定画面にて選択された左側のアイコンＩａ１１に描かれているイメージ像Ｐａ１１（図８（ａ）参照）と用紙の向き及び天辺の向きがそれぞれ縦向き及び上向きで一致している。よって、イメージ像Ｐｃ１１は、原稿台１１にセットされている原稿（図３（ａ）参照）と用紙の向き及び天辺の向きがそれぞれ同じ縦向き及び上向きとなる。
【００４６】
又、アイコンＩｄ１１には、次の様なイメージ像Ｐｄ１１が描かれている。即ち、イメージ像Ｐｄ１１は、選択されたアイコンＩｂ１１に描かれているイメージ像Ｐｂ１１と用紙の向き及び天辺の向きがそれぞれ同じ縦向き及び上向きである印刷後のコピー用紙のイメージ像であり、且つ、イメージ像Ｐｄ１１には、アイコンＩｄ１１ごとに異なる仕上綴じ位置が表記されている。換言すれば、イメージ像Ｐｄ１１は、第１詳細設定画面に至る過程で第１指定画面にて選択された左側のアイコンＩａ１１に描かれているイメージ像Ｐａ１１（図８（ａ）参照）と用紙の向き及び天辺の向きがそれぞれ縦向き及び上向きで一致している。よって、イメージ像Ｐｄ１１は、原稿台１１にセットされている原稿（図３（ａ）参照）と用紙の向き及び天辺の向きがそれぞれ同じ縦向き及び上向きとなる。
【００４７】
本実施形態では、図９（ｂ）及び図１０（ｂ）に示される様に、中段又は下段のアイコンＩｂ１１が選択されたとき、原稿綴じ位置に関する２つのアイコンＩｃ１１が表示される。又、これらのアイコンＩｃ１１には、イメージ像Ｐｃ１１として、ページが捲られた原稿の絵が描かれており、描かれた原稿の捲れ方により原稿綴じ位置が表されている。具体的には、原稿の捲れ方により、上段のアイコンＩｃ１１では原稿綴じ位置が左辺（即ち、横綴じ）であることが表され、下段のアイコンＩｃ１１では原稿綴じ位置が上辺（即ち、縦綴じ）であることが表されている。尚、原稿綴じ位置は、左辺や上辺に限定されるものではない。
【００４８】
アイコンＩｃ１１の表示後、アイコンＩｃ１１の１つがタッチディスプレイパネル５１を通じて選択されたとき、制御部７は、用紙の向き、天辺の向き、及び読取り面に加えて、選択されたアイコンＩｃ１１に対応する原稿綴じ位置を原稿に関する条件（画像処理条件）として更に設定する（ステップＳ２１０）。このとき、制御部７は、用紙の向き、天辺の向き、及び読取り面に加えて、原稿綴じ位置を原稿に関する条件として記憶部６に更に記憶させてもよい。
【００４９】
又、図９（ｂ）及び図１０（ａ）に示される様に、上段又は中段のアイコンＩｂ１１が選択されたとき、仕上綴じ位置に関する２つのアイコンＩｄ１１が表示される。又、これらのアイコンＩｄ１１には、イメージ像Ｐｄ１１として、ページが捲られた印刷後のコピー用紙の絵が描かれており、描かれたコピー用紙の捲れ方により仕上綴じ位置が表されている。具体的には、印刷後のコピー用紙の捲れ方により、上段のアイコンＩｄ１１では仕上綴じ位置が左辺（即ち、横綴じ）であることが表され、下段のアイコンＩｄ１１では仕上綴じ位置が上辺（即ち、縦綴じ）であることが表されている。尚、仕上綴じ位置は、左辺や上辺に限定されるものではない。
【００５０】
アイコンＩｄ１１の表示後、アイコンＩｄ１１の１つがタッチディスプレイパネル５１を通じて選択されたとき、制御部７は、印刷面に加えて、選択されたアイコンＩｄ１１に対応する仕上綴じ位置を印刷条件として更に設定する（ステップＳ２１０）。このとき、制御部７は、印刷面に加えて仕上綴じ位置を印刷条件として記憶部６に更に記憶させてもよい。
【００５１】
第１指定画面（図７のステップＳ２０２及びＳ２０４、図８（ａ）参照）において、天辺の向きが左向きであるアイコンＩａ１１が選択されたとき、制御部７は、用紙の向き及び天辺の向き（原稿に関する条件）をそれぞれ縦向き及び左向きに設定する。更に、制御部７は、図１１（ａ）に示されるコピー面設定用の第２詳細設定画面をタッチディスプレイパネル５１に表示させる（ステップＳ２０７）。このとき、第２詳細設定画面には、用紙の向きが縦向きであって且つ天辺の向きが左向きである原稿について、原稿の読取り面及びコピー用紙の印刷面の指定（ユーザ指定）を可能ならしめる複数のアイコンＩｂ１２が表示される。
【００５２】
そして、これらのアイコンＩｂ１２には、第２詳細設定画面に至る過程で第１指定画面にて選択された右側のアイコンＩａ１１に描かれているイメージ像Ｐａ１１（図８（ａ）参照）と用紙の向き及び天辺の向きがそれぞれ縦向き及び左向きで一致したイメージ像Ｐｂ１２が描かれている。よって、イメージ像Ｐｂ１２は、原稿台１１にセットされている原稿（図３（ａ）参照）と用紙の向き及び天辺の向きがそれぞれ同じ縦向き及び左向きになっている。
【００５３】
第２詳細設定画面（図１１（ａ）参照）の表示後、アイコンＩｂ１２の１つがタッチディスプレイパネル５１を通じて選択されたとき、制御部７は、用紙の向き及び天辺の向きに加えて、選択されたアイコンＩｂ１２に対応する読取り面を原稿に関する条件として設定する。又、制御部７は、選択されたアイコンＩｂ１２に対応する印刷面を印刷条件として設定する。尚、読取り面や印刷面は、記憶部６に記憶されてもよい。
【００５４】
更に、制御部７は、選択されたアイコンＩｂ１２に応じて、原稿綴じ位置の指定（ユーザ指定）を可能ならしめる複数のアイコンＩｃ１２と、仕上綴じ位置の指定（ユーザ指定）を可能ならしめる複数のアイコンＩｄ１２とを、第２詳細設定画面に選択的に表示する（図１１（ｂ）参照）。
【００５５】
そして、アイコンＩｃ１２には、次の様なイメージ像Ｐｃ１２が描かれている。即ち、イメージ像Ｐｃ１２は、選択されたアイコンＩｂ１２に描かれているイメージ像Ｐｂ１２と用紙の向き及び天辺の向きがそれぞれ同じ縦向き及び左向きである原稿のイメージ像であり、且つ、イメージ像Ｐｃ１２には、アイコンＩｃ１２ごとに異なる原稿綴じ位置が表記されている。換言すれば、イメージ像Ｐｃ１２は、第２詳細設定画面に至る過程で第１指定画面にて選択された右側のアイコンＩａ１１に描かれているイメージ像Ｐａ１１（図８（ａ）参照）と用紙の向き及び天辺の向きがそれぞれ縦向き及び左向きで一致している。よって、イメージ像Ｐｃ１２は、原稿台１１にセットされている原稿（図３（ａ）参照）と用紙の向き及び天辺の向きがそれぞれ同じ縦向き及び左向きとなる。
【００５６】
又、アイコンＩｄ１２には、次の様なイメージ像Ｐｄ１２が描かれている。即ち、イメージ像Ｐｄ１２は、選択されたアイコンＩｂ１２に描かれているイメージ像Ｐｂ１２と用紙の向き及び天辺の向きがそれぞれ同じ縦向き及び左向きである印刷後のコピー用紙のイメージ像であり、且つ、イメージ像Ｐｄ１２には、アイコンＩｄ１２ごとに異なる仕上綴じ位置が表記されている。換言すれば、イメージ像Ｐｄ１２は、第２詳細設定画面に至る過程で第１指定画面にて選択された右側のアイコンＩａ１１に描かれているイメージ像Ｐａ１１（図８（ａ）参照）と用紙の向き及び天辺の向きがそれぞれ縦向き及び左向きで一致している。よって、イメージ像Ｐｄ１２は、原稿台１１にセットされている原稿（図３（ａ）参照）と用紙の向き及び天辺の向きがそれぞれ同じ縦向き及び左向きとなる。
【００５７】
本実施形態において、アイコンＩｃ１２には、イメージ像Ｐｃ１２として、ページが捲られた原稿の絵が描かれており、描かれた原稿の捲れ方により原稿綴じ位置が表されている（図１１（ｂ）参照）。具体的には、原稿の捲れ方により、上段のアイコンＩｃ１２では原稿綴じ位置が下辺（即ち、横綴じ）であることが表され、下段のアイコンＩｃ１２では原稿綴じ位置が左辺（即ち、縦綴じ）であることが表されている。尚、原稿綴じ位置は、下辺や左辺に限定されるものではない。
【００５８】
又、アイコンＩｄ１２には、イメージ像Ｐｄ１２として、ページが捲られた印刷後のコピー用紙の絵が描かれており、描かれたコピー用紙の捲れ方により仕上綴じ位置が表されている（図１１（ｂ）参照）。具体的には、印刷後のコピー用紙の捲れ方により、上段のアイコンＩｄ１２では仕上綴じ位置が下辺（即ち、横綴じ）であることが表され、下段のアイコンＩｄ１２では仕上綴じ位置が左辺（即ち、縦綴じ）であることが表されている。尚、仕上綴じ位置は、下辺や左辺に限定されるものではない。
【００５９】
第２詳細設定画面での操作（ユーザ操作）、及びこれに伴い制御部７が実行する画面表示、並びに原稿に関する条件及び印刷条件の設定（ステップＳ２１０）については、第１詳細設定画面に関する説明（上述）を参照することができる。
【００６０】
第２指定画面の表示（図７のステップＳ２０３、図８（ｂ）参照）後、アイコンＩａ１２の１つがタッチディスプレイパネル５１を通じて選択されたとき、制御部７は、選択されたアイコンＩａ１２に対応する用紙の向き及び天辺の向きを原稿に関する条件（読取り条件）として設定すると共に、選択されたアイコンＩａ１２に応じて画面を切り替える（ステップＳ２０５）。このとき、制御部７は、用紙の向き及び天辺の向きを原稿に関する条件として記憶部６に記憶させてもよい。
【００６１】
具体的には、第２指定画面にて、天辺の向きが上向きであるアイコンＩａ１２が選択されたとき、制御部７は、用紙の向き及び天辺の向き（原稿に関する条件）をそれぞれ横向き及び上向きに設定する。更に、制御部７は、図１２（ａ）に示されるコピー面設定用の第３詳細設定画面をタッチディスプレイパネル５１に表示させる（ステップＳ２０８）。このとき、第３詳細設定画面には、用紙の向きが横向きであって且つ天辺の向きが上向きである原稿について、原稿の読取り面及びコピー用紙の印刷面の指定（ユーザ指定）を可能ならしめる複数のアイコンＩｂ１３が表示される。
【００６２】
そして、これらのアイコンＩｂ１３には、第３詳細設定画面に至る過程で第２指定画面にて選択された左側のアイコンＩａ１２に描かれているイメージ像Ｐａ１２（図８（ｂ）参照）と用紙の向き及び天辺の向きがそれぞれ横向き及び上向きで一致したイメージ像Ｐｂ１３が描かれている。よって、イメージ像Ｐｂ１３は、原稿台１１にセットされている原稿（図３（ｂ）参照）と用紙の向き及び天辺の向きがそれぞれ同じ横向き及び上向きになっている。
【００６３】
第３詳細設定画面（図１２（ａ）参照）の表示後、アイコンＩｂ１３の１つがタッチディスプレイパネル５１を通じて選択されたとき、制御部７は、用紙の向き及び天辺の向きに加えて、選択されたアイコンＩｂ１３に対応する読取り面を原稿に関する条件として設定する。又、制御部７は、選択されたアイコンＩｂ１３に対応する印刷面を印刷条件として設定する。尚、読取り面や印刷面は、記憶部６に記憶されてもよい。
【００６４】
更に、制御部７は、選択されたアイコンＩｂ１３に応じて、原稿綴じ位置の指定（ユーザ指定）を可能ならしめる複数のアイコンＩｃ１３と、仕上綴じ位置の指定（ユーザ指定）を可能ならしめる複数のアイコンＩｄ１３とを、第３詳細設定画面に選択的に表示する（図１２（ｂ）参照）。
【００６５】
そして、アイコンＩｃ１３には、次の様なイメージ像Ｐｃ１３が描かれている。即ち、イメージ像Ｐｃ１３は、選択されたアイコンＩｂ１３に描かれているイメージ像Ｐｂ１３と用紙の向き及び天辺の向きがそれぞれ同じ横向き及び上向きである原稿のイメージ像であり、且つ、イメージ像Ｐｃ１３には、アイコンＩｃ１３ごとに異なる原稿綴じ位置が表記されている。換言すれば、イメージ像Ｐｃ１３は、第３詳細設定画面に至る過程で第２指定画面にて選択された左側のアイコンＩａ１２に描かれているイメージ像Ｐａ１２（図８（ｂ）参照）と用紙の向き及び天辺の向きがそれぞれ横向き及び上向きで一致している。よって、イメージ像Ｐｃ１３は、原稿台１１にセットされている原稿（図３（ｂ）参照）と用紙の向き及び天辺の向きがそれぞれ同じ横向き及び上向きとなる。
【００６６】
又、アイコンＩｄ１３には、次の様なイメージ像Ｐｄ１３が描かれている。即ち、イメージ像Ｐｄ１３は、選択されたアイコンＩｂ１３に描かれているイメージ像Ｐｂ１３と用紙の向き及び天辺の向きがそれぞれ同じ横向き及び上向きである印刷後のコピー用紙のイメージ像であり、且つ、イメージ像Ｐｄ１３には、アイコンＩｄ１３ごとに異なる仕上綴じ位置が表記されている。換言すれば、イメージ像Ｐｄ１３は、第３詳細設定画面に至る過程で第２指定画面にて選択された左側のアイコンＩａ１２に描かれているイメージ像Ｐａ１２（図８（ｂ）参照）と用紙の向き及び天辺の向きがそれぞれ横向き及び上向きで一致している。よって、イメージ像Ｐｄ１３は、原稿台１１にセットされている原稿（図３（ｂ）参照）と用紙の向き及び天辺の向きがそれぞれ同じ横向き及び上向きとなる。
【００６７】
本実施形態において、アイコンＩｃ１３には、イメージ像Ｐｃ１３として、ページが捲られた原稿の絵が描かれており、描かれた原稿の捲れ方により原稿綴じ位置が表されている（図１２（ｂ）参照）。具体的には、原稿の捲れ方により、上段のアイコンＩｃ１３では原稿綴じ位置が左辺（即ち、横綴じ）であることが表され、下段のアイコンＩｃ１３では原稿綴じ位置が上辺（即ち、縦綴じ）であることが表されている。尚、原稿綴じ位置は、左辺や上辺に限定されるものではない。
【００６８】
又、アイコンＩｄ１３には、イメージ像Ｐｄ１３として、ページが捲られた印刷後のコピー用紙の絵が描かれており、描かれたコピー用紙の捲れ方により仕上綴じ位置が表されている（図１２（ｂ）参照）。具体的には、印刷後のコピー用紙の捲れ方により、上段のアイコンＩｄ１３では仕上綴じ位置が左辺（即ち、横綴じ）であることが表され、下段のアイコンＩｄ１３では仕上綴じ位置が上辺（即ち、縦綴じ）であることが表されている。尚、仕上綴じ位置は、左辺や上辺に限定されるものではない。
【００６９】
第３詳細設定画面での操作（ユーザ操作）、及びこれに伴い制御部７が実行する画面表示、並びに原稿に関する条件及び印刷条件の設定（ステップＳ２１０）については、第１詳細設定画面に関する説明（上述）を参照することができる。
【００７０】
第２指定画面（図７のステップＳ２０３及びＳ２０５、図８（ｂ）参照）において、天辺の向きが左向きであるアイコンＩａ１２が選択されたとき、制御部７は、用紙の向き及び天辺の向き（原稿に関する条件）をそれぞれ横向き及び左向きに設定する。更に、制御部７は、図１３（ａ）に示されるコピー面設定用の第４詳細設定画面をタッチディスプレイパネル５１に表示させる（ステップＳ２０９）。このとき、第４詳細設定画面には、用紙の向きが横向きであって且つ天辺の向きが左向きである原稿について、原稿の読取り面及びコピー用紙の印刷面の指定（ユーザ指定）を可能ならしめる複数のアイコンＩｂ１４が表示される。
【００７１】
そして、これらのアイコンＩｂ１４には、第４詳細設定画面に至る過程で第２指定画面にて選択された右側のアイコンＩａ１２に描かれているイメージ像Ｐａ１２（図８（ｂ）参照）と用紙の向き及び天辺の向きがそれぞれ横向き及び左向きで一致したイメージ像Ｐｂ１４が描かれている。よって、イメージ像Ｐｂ１４は、原稿台１１にセットされている原稿（図３（ｂ）参照）と用紙の向き及び天辺の向きがそれぞれ同じ横向き及び左向きになっている。
【００７２】
第４詳細設定画面（図１３（ａ）参照）の表示後、アイコンＩｂ１４の１つがタッチディスプレイパネル５１を通じて選択されたとき、制御部７は、用紙の向き及び天辺の向きに加えて、選択されたアイコンＩｂ１４に対応する読取り面を原稿に関する条件として設定する。又、制御部７は、選択されたアイコンＩｂ１４に対応する印刷面を印刷条件として設定する。尚、読取り面や印刷面は、記憶部６に記憶されてもよい。
【００７３】
更に、制御部７は、選択されたアイコンＩｂ１４に応じて、原稿綴じ位置の指定（ユーザ指定）を可能ならしめる複数のアイコンＩｃ１４と、仕上綴じ位置の指定（ユーザ指定）を可能ならしめる複数のアイコンＩｄ１４とを、第４詳細設定画面に選択的に表示する（図１３（ｂ）参照）。
【００７４】
そして、アイコンＩｃ１４には、次の様なイメージ像Ｐｃ１４が描かれている。即ち、イメージ像Ｐｃ１４は、選択されたアイコンＩｂ１４に描かれているイメージ像Ｐｂ１４と用紙の向き及び天辺の向きがそれぞれ同じ横向き及び左向きである原稿のイメージ像であり、且つ、イメージ像Ｐｃ１４には、アイコンＩｃ１４ごとに異なる原稿綴じ位置が表記されている。換言すれば、イメージ像Ｐｃ１４は、第４詳細設定画面に至る過程で第２指定画面にて選択された右側のアイコンＩａ１２に描かれているイメージ像Ｐａ１２（図８（ｂ）参照）と用紙の向き及び天辺の向きがそれぞれ横向き及び左向きで一致している。よって、イメージ像Ｐｃ１４は、原稿台１１にセットされている原稿（図３（ｂ）参照）と用紙の向き及び天辺の向きがそれぞれ同じ横向き及び左向きとなる。
【００７５】
又、アイコンＩｄ１４には、次の様なイメージ像Ｐｄ１４が描かれている。即ち、イメージ像Ｐｄ１４は、選択されたアイコンＩｂ１４に描かれているイメージ像Ｐｂ１４と用紙の向き及び天辺の向きがそれぞれ同じ横向き及び左向きである印刷後のコピー用紙のイメージ像であり、且つ、イメージ像Ｐｄ１４には、アイコンＩｄ１４ごとに異なる仕上綴じ位置が表記されている。換言すれば、イメージ像Ｐｄ１４は、第４詳細設定画面に至る過程で第２指定画面にて選択された右側のアイコンＩａ１２に描かれているイメージ像Ｐａ１２（図８（ｂ）参照）と用紙の向き及び天辺の向きがそれぞれ横向き及び左向きで一致している。よって、イメージ像Ｐｄ１４は、原稿台１１にセットされている原稿（図３（ｂ）参照）と用紙の向き及び天辺の向きがそれぞれ同じ横向き及び左向きとなる。
【００７６】
本実施形態において、アイコンＩｃ１４には、イメージ像Ｐｃ１４として、ページが捲られた原稿の絵が描かれており、描かれた原稿の捲れ方により原稿綴じ位置が表されている（図１３（ｂ）参照）。具体的には、原稿の捲れ方により、上段のアイコンＩｃ１４では原稿綴じ位置が下辺（即ち、横綴じ）であることが表され、下段のアイコンＩｃ１４では原稿綴じ位置が左辺（即ち、縦綴じ）であることが表されている。尚、原稿綴じ位置は、下辺や左辺に限定されるものではない。
【００７７】
又、アイコンＩｄ１４には、イメージ像Ｐｄ１４として、ページが捲られた印刷後のコピー用紙の絵が描かれており、描かれたコピー用紙の捲れ方により仕上綴じ位置が表されている（図１３（ｂ）参照）。具体的には、印刷後のコピー用紙の捲れ方により、上段のアイコンＩｄ１４では仕上綴じ位置が下辺（即ち、横綴じ）であることが表され、下段のアイコンＩｄ１４では仕上綴じ位置が左辺（即ち、縦綴じ）であることが表されている。尚、仕上綴じ位置は、下辺や左辺に限定されるものではない。
【００７８】
第４詳細設定画面での操作（ユーザ操作）、及びこれに伴い制御部７が実行する画面表示、並びに原稿に関する条件及び印刷条件の設定（ステップＳ２１０）については、第１詳細設定画面に関する説明（上述）を参照することができる。
【００７９】
原稿に関する条件及び印刷条件の設定（ステップＳ２１０）後、制御部７は、コピー面設定処理を終了してステップＳ１０３（図６参照）に戻ると共に、コピー機能についての設定画面（図５参照）をタッチディスプレイパネル５１に再び表示させる。
【００８０】
＜仕上げ設定＞
仕上げ設定処理（図６のステップＳ１０５）では、制御部７は、図１４に示されるフローチャートに従って処理を実行する。先ず、制御部７は、ステップＳ３０１〜Ｓ３０３を実行する。ステップＳ３０１〜Ｓ３０３ではそれぞれ、ステップＳ２０１〜Ｓ２０３（図７参照）と同じ処理が実行される。よって、ステップＳ３０１〜Ｓ３０３については説明を省略する。
【００８１】
第１指定画面（ステップＳ３０２、図８（ａ）参照）の表示後、アイコンＩａ１１の１つがタッチディスプレイパネル５１を通じて選択されたとき、制御部７は、選択されたアイコンＩａ１１に応じて画面を切り替える（ステップＳ３０４）。又、第２指定画面（ステップＳ３０３、図８（ｂ）参照）の表示後、アイコンＩａ１２の１つがタッチディスプレイパネル５１を通じて選択されたとき、制御部７は、選択されたアイコンＩａ１２に応じて画面を切り替える（ステップＳ３０５）。
【００８２】
具体的には、第１指定画面にて、天辺の向きが上向きであるアイコンＩａ１１が選択されるか、又は、第２指定画面にて、天辺の向きが左向きであるアイコンＩａ１２が選択されたとき、制御部７は、図１５（ａ）に示される仕上げ設定用の第５詳細設定画面をタッチディスプレイパネル５１に表示させる（ステップＳ３０６）。このとき、第５詳細設定画面には、用紙の向きが縦向きであるときに天辺の向きが上向きとなる原稿を対象として、印刷後のコピー用紙の仕上げについて、ステープル位置に関する指定（ユーザ指定）を可能ならしめる複数のアイコンＩｅ１１と、パンチング位置に関する指定（ユーザ指定）を可能ならしめる複数のアイコンＩｆ１１とが表示される。尚、ステープル位置やパンチング位置は、仕上綴じ位置に含まれる概念である。
【００８３】
そして、アイコンＩｅ１１には、次の様なイメージ像Ｐｅ１１が描かれている。即ち、イメージ像Ｐｅ１１は、用紙の向き及び天辺の向きがそれぞれ縦向き及び上向きである原稿のイメージ像であり、イメージ像Ｐｅ１１には、アイコンＩｅ１１ごとに異なるステープル位置（左上の隅部、左辺端部、上辺端部）が表記されている。又、アイコンＩｆ１１には、次の様なイメージ像Ｐｆ１１が描かれている。即ち、イメージ像Ｐｆ１１は、用紙の向き及び天辺の向きがそれぞれ縦向き及び上向きである原稿のイメージ像であり、イメージ像Ｐｆ１１には、アイコンＩｆ１１ごとに異なるパンチング位置（左辺端部、上辺端部）が表記されている。尚、第５詳細設定画面には、ステープル位置に関する指定をオフにするアイコンＩｅ１０と、パンチング位置に関する指定をオフにするアイコンＩｆ１０とが表示されている。
【００８４】
第５詳細設定画面の表示後、アイコンＩｅ１１及びＩｆ１１の何れか１つがタッチディスプレイパネル５１を通じて選択されたとき、制御部７は、選択されたアイコンＩｅ１１又はＩｆ１１に対応するステープル位置又はパンチング位置を印刷条件として設定する（ステップＳ３０８）。このとき、制御部７は、ステープル位置又はパンチング位置を印刷条件として記憶部６に記憶させてもよい。
【００８５】
一方、第１指定画面にて、天辺の向きが左向きであるアイコンＩａ１１が選択されるか、又は、第２指定画面にて、天辺の向きが上向きであるアイコンＩａ１２が選択されたとき、制御部７は、図１５（ｂ）に示される仕上げ設定用の第６詳細設定画面をタッチディスプレイパネル５１に表示させる（ステップＳ３０７）。このとき、第６詳細設定画面には、用紙の向きが横向きであるときに天辺の向きが上向きとなる原稿を対象として、印刷後のコピー用紙の仕上げについて、ステープル位置に関する指定（ユーザ指定）を可能ならしめる複数のアイコンＩｅ１２と、パンチング位置に関する指定（ユーザ指定）を可能ならしめる複数のアイコンＩｆ１２とが表示される。
【００８６】
そして、アイコンＩｅ１２には、次の様なイメージ像Ｐｅ１２が描かれている。即ち、イメージ像Ｐｅ１２は、用紙の向き及び天辺の向きがそれぞれ横向き及び上向きである原稿のイメージ像であり、イメージ像Ｐｅ１２には、アイコンＩｅ１２ごとに異なるステープル位置（左上の隅部、左辺端部、上辺端部）が表記されている。又、アイコンＩｆ１２には、次の様なイメージ像Ｐｆ１２が描かれている。即ち、イメージ像Ｐｆ１２は、用紙の向き及び天辺の向きがそれぞれ横向き及び上向きである原稿のイメージ像であり、イメージ像Ｐｆ１２には、アイコンＩｆ１２ごとに異なるパンチング位置（左辺端部、上辺端部）が表記されている。尚、第６詳細設定画面には、ステープル位置に関する指定をオフにするアイコンＩｅ１０と、パンチング位置に関する指定をオフにするアイコンＩｆ１０とが表示されている。
【００８７】
第６詳細設定画面の表示後、アイコンＩｅ１２及びＩｆ１２の何れか１つがタッチディスプレイパネル５１を通じて選択されたとき、制御部７は、選択されたアイコンＩｅ１２又はＩｆ１２に対応するステープル位置又はパンチング位置を印刷条件として設定する（ステップＳ３０８）。このとき、制御部７は、ステープル位置又はパンチング位置を印刷条件として記憶部６に記憶させてもよい。
【００８８】
印刷条件の設定（ステップＳ３０８）後、制御部７は、仕上げ設定処理を終了してステップＳ１０３（図６参照）に戻ると共に、コピー機能についての設定画面（図５参照）をタッチディスプレイパネル５１に再び表示させる。
【００８９】
尚、仕上げ設定前に、コピー面設定時に表示される第１指定画面にてアイコンＩａ１１の１つが選択されるか、又は、第２指定画面にてアイコンＩａ１２の１つが選択されていた場合、仕上設定処理では制御部７は、ステップＳ３０１〜Ｓ３０５を実行することなく、第１又は第２指定画面で選択されたアイコンＩａ１１又はＩａ１２に応じて、第５又は第６詳細設定画面をタッチディスプレイパネル５１に表示させてもよい。
【００９０】
＜他の動作条件の設定＞
コピー面及び仕上げ以外の他の動作条件の設定処理（図６のステップＳ１０６）では、制御部７は、設定画面にて選択されたアイコンＩｍ１に対応する動作条件についての詳細設定画面をタッチディスプレイパネル５１に表示させる。そして、詳細設定画面での操作（ユーザ操作）に応じて、制御部７は、動作条件の設定を行う。このとき、制御部７は、動作条件を記憶部６に記憶させてもよい。その後、制御部７は、ステップＳ１０３に戻ると共に、コピー機能についての設定画面（図５参照）をタッチディスプレイパネル５１に再び表示させる。
【００９１】
＜実行、プレビュー、リセット＞
設定画面（図５参照）にてスタートボタンＢ１が押されたとき、その時点で設定されている動作条件（原稿に関する条件及び印刷条件を含む。）に基づき、制御部７は、画像形成装置にコピーを実行させる。具体的には、スタートボタンＢ１が押された時点で設定されている動作条件に基づき、制御部７は、原稿の読取りを原稿読取り部１に実行させると共に、原稿読取り部１にて生成される画像データに対する画像処理を画像処理部３に実行させる（図６のステップＳ１０７）。その後、制御部７は、スタートボタンＢ１が押された時点で設定されている動作条件に基づき、画像処理後の画像データの印刷を印刷処理部８１に実行させる（図６のステップＳ１０８）。尚、本実施形態において、スタートボタンＢ１は、第１〜第２指定画面及び第１〜第６詳細設定画面の何れにも表示されており、どの画面からでもコピーを開始することが可能である。
【００９２】
本実施形態において、設定画面（図５参照）には、スタートボタンＢ１の他にプレビューボタンＢ２及びリセットボタンＢ３が更に表示される。そして、設定画面にてプレビューボタンＢ２が押されたとき、制御部７は、印刷イメージを含むプレビュー画面をタッチディスプレイパネル５１に表示させる。ここで、印刷イメージは、それまでに設定された原稿に関する条件及び印刷条件でコピーが実行されたときに得られるであろう出力結果を、視覚的に認識することを可能ならしめるものである。一方、設定画面にてリセットボタンＢ３が押されたとき、制御部７は、それまでに設定された原稿に関する条件及び印刷条件をリセットしてデフォルトに戻す。尚、本実施形態において、プレビューボタンＢ２は、第１〜第２指定画面及び第１〜第６詳細設定画面の何れにも表示されており、どの画面からでもプレビュー画面を表示させることができる。
【００９３】
制御部７の上記処理によれば、原稿に関する条件（天辺の向き）の設定時に第１及び第２指定画面が選択的に表示されることにより、原稿台１１にセットされた原稿と用紙の向きが一致したイメージ像が描かれているアイコンが表示される。又、原稿に関する条件（読取り面、原稿綴じ位置）及び印刷条件（印刷面、仕上綴じ位置）の設定時に第１〜第６詳細設定画面が選択的に表示されることにより、原稿台１１にセットされている原稿と用紙の向き及び天辺の向きが一致したイメージ像が描かれているアイコンが表示される。従って、ユーザは、アイコンの各々に描かれているイメージ像から、そのアイコンに対応付けられている条件内容を容易に認識することができる。よって、ユーザは、表示されているアイコンの中から、読取りや印刷に関する意図した条件内容に対応するものを容易に選択することができる。その結果として、本実施形態の画像形成装置では、動作条件（特に原稿に関する条件及び印刷条件）に関する設定の正確性が向上することになる。
【００９４】
［２］第２実施形態
上述した第１実施形態の技術は、スキャン機能の選択時に実行される処理にも適用することができる。以下、具体的に説明する。
【００９５】
≪機能選択≫
機能選択画面（図４）にてスキャン機能のアイコンＩｎが選択されたとき、図１６に示される様に、スキャン機能についての設定画面が表示される。そして、この設定画面において、設定領域Ｉｐ１は、スキャン（原稿読取り）により得られた画像データの送信先（宛先）の指定が可能な画像領域である。アイコンＩｍ１は、宛先以外の動作条件の各々に対応するものであり、アイコンＩｍ１として、スキャンカラー、解像度、原稿サイズ、ファイル形式、スキャン濃度、両面読取りの各々に対応したものが表示されている。一方、それら以外の動作条件にそれぞれ対応するアイコンＩｍ１は、「他の動作条件」と表記された１つのアイコンＩｍ０に集約されている。
【００９６】
ユーザが、タッチディスプレイパネル５１に設定画面（図１６参照）を表示させた後に原稿台１１に原稿をセットするか、或いは原稿台１１に原稿をセットした後に機能選択画面（図４参照）にてスキャン機能のアイコンＩｎを選択したとき、制御部７は、図１７に示されるフローチャートに従って以下の処理を実行する。
【００９７】
先ず、制御部７は、ステップＳ４０１及びＳ４０２を実行する。ステップＳ４０１及びＳ４０２ではそれぞれ、ステップＳ１０１及びＳ１０２（図６参照）と同じ処理が実行される。よって、ステップＳ４０１及びＳ４０２については説明を省略する。
【００９８】
原稿の長さＬ１及びＬ２の検出（ステップＳ４０２）後、制御部７は、ステップＳ４０３〜Ｓ４０５を実行する。ステップＳ４０３〜Ｓ４０５ではそれぞれ、ステップＳ２０１〜Ｓ２０３（図７参照）と同じ処理が実行される。よって、ステップＳ４０３〜Ｓ４０５については説明を省略する。
【００９９】
第１指定画面（ステップＳ４０４、図８（ａ）参照）の表示後、アイコンＩａ１１の１つがタッチディスプレイパネル５１を通じて選択されたとき、制御部７は、選択されたアイコンＩａ１１に対応する用紙の向き及び天辺の向きを原稿に関する条件（読取り条件）として設定する（ステップＳ４０８）。具体的には、第１指定画面にて、天辺の向きが上向きであるアイコンＩａ１１が選択されたとき、制御部７は、用紙の向き及び天辺の向き（原稿に関する条件）をそれぞれ縦向き及び上向きに設定する。一方、第１指定画面にて、天辺の向きが左向きであるアイコンＩａ１１が選択されたとき、制御部７は、用紙の向き及び天辺の向き（原稿に関する条件）をそれぞれ縦向き及び左向きに設定する。
【０１００】
又、第２指定画面（ステップＳ４０５、図８（ｂ）参照）の表示後、アイコンＩａ１２の１つがタッチディスプレイパネル５１を通じて選択されたとき、制御部７は、選択されたアイコンＩａ１２に対応する用紙の向き及び天辺の向きを原稿に関する条件（読取り条件）として設定する（ステップＳ４０８）。具体的には、第２指定画面にて、天辺の向きが上向きであるアイコンＩａ１２が選択されたとき、制御部７は、用紙の向き及び天辺の向き（原稿に関する条件）をそれぞれ横向き及び上向きに設定する。一方、第２指定画面にて、天辺の向きが左向きであるアイコンＩａ１２が選択されたとき、制御部７は、用紙の向き及び天辺の向き（原稿に関する条件）をそれぞれ横向き及び左向きに設定する。
【０１０１】
≪動作条件設定≫
ステップＳ４０８での原稿に関する条件の設定後、制御部７は、設定画面（図１６参照）でのユーザの操作に応じて処理を実行する（ステップＳ４０９）。ここで、制御部７は、設定画面への両面読取り設定用のアイコンＩｍ１の表示により、原稿に関する条件（読取り条件）として、原稿台１１にセットされた原稿の片面及び両面の何れを読取り面とすべきかを、タッチディスプレイパネル５１にて選択することを可能ならしめている。そして、設定画面にて両面読取り設定用のアイコンＩｍ１が選択されたとき、制御部７は、両面読取り設定処理を実行する（ステップＳ４１０及びＳ４１１）。一方、設定画面にて他の動作条件についての設定用のアイコンＩｍ１が選択されたとき、制御部７は、他の動作条件の設定処理を実行する（ステップＳ４１２）。
【０１０２】
＜両面読取り設定＞
両面読取り処理では、制御部７は、ステップＳ４０８で設定した原稿に関する条件（用紙の向き及び天辺の向き）に応じて、第７〜第１０詳細設定画面をタッチディスプレイパネル５１に選択的に表示させる（ステップＳ４１０）。
【０１０３】
具体的には、ステップＳ４０８で設定された用紙の向き及び天辺の向き（原稿に関する条件）がそれぞれ縦向き及び上向きであった場合、制御部７は、ステップＳ４１０において、第７詳細設定画面（図１８（ａ）参照）をタッチディスプレイパネル５１に表示させる。このとき、第７詳細設定画面には、複数のアイコンＩｇ１１が表示される。これらのアイコンＩｇ１１は、原稿の読取り面を両面に指定すると共に原稿綴じ位置を指定することを可能ならしめるものである。
【０１０４】
そして、アイコンＩｇ１１には、次の様なイメージ像Ｐｇ１１が描かれている。即ち、イメージ像Ｐｇ１１は、ステップＳ４０８で設定した原稿に関する条件と用紙の向き及び天辺の向きがそれぞれ同じ縦向き及び上向きである原稿のイメージ像であり、且つ、イメージ像Ｐｇ１１には、アイコンＩｇ１１ごとに異なる原稿綴じ位置が表記されている。換言すれば、イメージ像Ｐｇ１１は、第７詳細設定画面に至る過程で第１指定画面にて選択された左側のアイコンＩａ１１に描かれているイメージ像Ｐａ１１（図８（ａ）参照）と用紙の向き及び天辺の向きがそれぞれ縦向き及び上向きで一致している。よって、イメージ像Ｐｇ１１は、原稿台１１にセットされている原稿（図３（ａ）参照）と用紙の向き及び天辺の向きがそれぞれ同じ縦向き及び上向きとなる。
【０１０５】
本実施形態において、アイコンＩｇ１１には、イメージ像Ｐｇ１１として、ページが捲られた原稿の絵が描かれており、描かれた原稿の捲れ方により原稿綴じ位置が表されている（図１８（ａ）参照）。具体的には、原稿の捲れ方により、上段のアイコンＩｇ１１では原稿綴じ位置が左辺（即ち、横綴じ）であることが表され、下段のアイコンＩｇ１１では原稿綴じ位置が上辺（即ち、縦綴じ）であることが表されている。尚、原稿綴じ位置は、左辺や上辺に限定されるものではない。
【０１０６】
第７詳細設定画面の表示後、アイコンＩｇ１１の１つがタッチディスプレイパネル５１を通じて選択されたとき、制御部７は、用紙の向き及び天辺の向きに加えて、選択されたアイコンＩｇ１１に対応する読取り面（両面）及び原稿綴じ位置を原稿に関する条件として更に設定する（ステップＳ４１１）。このとき、制御部７は、用紙の向き及び天辺の向きに加えて、読取り面（両面）及び原稿綴じ位置を原稿に関する条件として記憶部６に更に記憶させてもよい。
【０１０７】
ステップＳ４０８で設定された用紙の向き及び天辺の向き（原稿に関する条件）がそれぞれ縦向き及び左向きであった場合、制御部７は、ステップＳ４１０において、第８詳細設定画面（図１８（ｂ）参照）をタッチディスプレイパネル５１に表示させる。このとき、第８詳細設定画面には、複数のアイコンＩｇ１２が表示される。これらのアイコンＩｇ１２は、原稿の読取り面を両面に指定すると共に原稿綴じ位置を指定することを可能ならしめるものである。
【０１０８】
そして、アイコンＩｇ１２には、次の様なイメージ像Ｐｇ１２が描かれている。即ち、イメージ像Ｐｇ１２は、ステップＳ４０８で設定した原稿に関する条件と用紙の向き及び天辺の向きがそれぞれ同じ縦向き及び左向きである原稿のイメージ像であり、且つ、イメージ像Ｐｇ１２には、アイコンＩｇ１２ごとに異なる原稿綴じ位置が表記されている。換言すれば、イメージ像Ｐｇ１２は、第８詳細設定画面に至る過程で第１指定画面にて選択された右側のアイコンＩａ１１に描かれているイメージ像Ｐａ１１（図８（ａ）参照）と用紙の向き及び天辺の向きがそれぞれ縦向き及び左向きで一致している。よって、イメージ像Ｐｇ１２は、原稿台１１にセットされている原稿（図３（ａ）参照）と用紙の向き及び天辺の向きがそれぞれ同じ縦向き及び左向きとなる。
【０１０９】
本実施形態において、アイコンＩｇ１２には、イメージ像Ｐｇ１２として、ページが捲られた原稿の絵が描かれており、描かれた原稿の捲れ方により原稿綴じ位置が表されている（図１８（ｂ）参照）。具体的には、原稿の捲れ方により、上段のアイコンＩｇ１２では原稿綴じ位置が下辺（即ち、横綴じ）であることが表され、下段のアイコンＩｇ１２では原稿綴じ位置が左辺（即ち、縦綴じ）であることが表されている。尚、原稿綴じ位置は、下辺や左辺に限定されるものではない。
【０１１０】
第８詳細設定画面での操作（ユーザ操作）、及びこれに伴い制御部７が実行する原稿に関する条件の設定（ステップＳ４１１）については、第７詳細設定画面に関するこれらの説明（上述）を参照することができる。
【０１１１】
ステップＳ４０８で設定された用紙の向き及び天辺の向き（原稿に関する条件）がそれぞれ横向き及び上向きであった場合、制御部７は、ステップＳ４１０において、第９詳細設定画面（図１９（ａ）参照）をタッチディスプレイパネル５１に表示させる。このとき、第９詳細設定画面には、複数のアイコンＩｇ１３が表示される。これらのアイコンＩｇ１３は、原稿の読取り面を両面に指定すると共に原稿綴じ位置を指定することを可能ならしめるものである。
【０１１２】
そして、アイコンＩｇ１３には、次の様なイメージ像Ｐｇ１３が描かれている。即ち、イメージ像Ｐｇ１３は、ステップＳ４０８で設定した原稿に関する条件と用紙の向き及び天辺の向きがそれぞれ同じ横向き及び上向きである原稿のイメージ像であり、且つ、イメージ像Ｐｇ１３には、アイコンＩｇ１３ごとに異なる原稿綴じ位置が表記されている。換言すれば、イメージ像Ｐｇ１３は、第９詳細設定画面に至る過程で第２指定画面にて選択された左側のアイコンＩａ１２に描かれているイメージ像Ｐａ１２（図８（ｂ）参照）と用紙の向き及び天辺の向きがそれぞれ横向き及び上向きで一致している。よって、イメージ像Ｐｇ１３は、原稿台１１にセットされている原稿（図３（ｂ）参照）と用紙の向き及び天辺の向きがそれぞれ同じ横向き及び上向きとなる。
【０１１３】
本実施形態において、アイコンＩｇ１３には、イメージ像Ｐｇ１３として、ページが捲られた原稿の絵が描かれており、描かれた原稿の捲れ方により原稿綴じ位置が表されている（図１９（ａ）参照）。具体的には、原稿の捲れ方により、上段のアイコンＩｇ１３では原稿綴じ位置が左辺（即ち、横綴じ）であることが表され、下段のアイコンＩｇ１３では原稿綴じ位置が上辺（即ち、縦綴じ）であることが表されている。尚、原稿綴じ位置は、左辺や上辺に限定されるものではない。
【０１１４】
第９詳細設定画面での操作（ユーザ操作）、及びこれに伴い制御部７が実行する原稿に関する条件の設定（ステップＳ４１１）については、第７詳細設定画面に関する説明（上述）を参照することができる。
【０１１５】
ステップＳ４０８で設定された用紙の向き及び天辺の向き（原稿に関する条件）がそれぞれ横向き及び左向きであった場合、制御部７は、ステップＳ４１０において、第１０詳細設定画面（図１９（ｂ）参照）をタッチディスプレイパネル５１に表示させる。このとき、第１０詳細設定画面には、複数のアイコンＩｇ１４が表示される。これらのアイコンＩｇ１４は、原稿の読取り面を両面に指定すると共に原稿綴じ位置を指定することを可能ならしめるものである。
【０１１６】
そして、アイコンＩｇ１４には、次の様なイメージ像Ｐｇ１４が描かれている。即ち、イメージ像Ｐｇ１４は、ステップＳ４０８で設定した原稿に関する条件と用紙の向き及び天辺の向きがそれぞれ同じ横向き及び左向きである原稿のイメージ像であり、且つ、イメージ像Ｐｇ１４には、アイコンＩｇ１４ごとに異なる原稿綴じ位置が表記されている。換言すれば、イメージ像Ｐｇ１４は、第１０詳細設定画面に至る過程で第２指定画面にて選択された右側のアイコンＩａ１２に描かれているイメージ像Ｐａ１２（図８（ｂ）参照）と用紙の向き及び天辺の向きがそれぞれ横向き及び左向きで一致している。よって、イメージ像Ｐｇ１４は、原稿台１１にセットされている原稿（図３（ｂ）参照）と用紙の向き及び天辺の向きがそれぞれ同じ横向き及び左向きとなる。
【０１１７】
本実施形態において、アイコンＩｇ１４には、イメージ像Ｐｇ１４として、ページが捲られた原稿の絵が描かれており、描かれた原稿の捲れ方により原稿綴じ位置が表されている（図１９（ｂ）参照）。具体的には、原稿の捲れ方により、上段のアイコンＩｇ１４では原稿綴じ位置が下辺（即ち、横綴じ）であることが表され、下段のアイコンＩｇ１４では原稿綴じ位置が左辺（即ち、縦綴じ）であることが表されている。尚、原稿綴じ位置は、下辺や左辺に限定されるものではない。
【０１１８】
第１０詳細設定画面での操作（ユーザ操作）、及びこれに伴い制御部７が実行する原稿に関する条件の設定（ステップＳ４１１）については、第７詳細設定画面に関する説明（上述）を参照することができる。
【０１１９】
原稿に関する条件の設定（ステップＳ４１１）後、制御部７は、両面読取り設定処理を終了してステップＳ４０９（図１７参照）に戻ると共に、スキャン機能についての設定画面（図１６参照）をタッチディスプレイパネル５１に再び表示させる。
【０１２０】
＜他の動作条件の設定＞
両面読取り以外の他の動作条件の設定処理（図１７のステップＳ４１２）では、制御部７は、設定画面（図１６参照）にて選択されたアイコンＩｍ１に対応する動作条件についての詳細設定画面をタッチディスプレイパネル５１に表示させる。そして、詳細設定画面での操作（ユーザ操作）に応じて、制御部７は、動作条件の設定を行う。このとき、制御部７は、動作条件を記憶部６に記憶させてもよい。その後、制御部７は、ステップＳ４０９に戻ると共に、スキャン機能についての設定画面（図１６参照）をタッチディスプレイパネル５１に再び表示させる。
【０１２１】
＜実行、プレビュー、リセット＞
設定画面（図１６参照）にてスタートボタンＢ１が押されたとき、その時点で設定されている動作条件（原稿に関する条件を含む。）に基づき、制御部７は、画像形成装置にスキャンを実行させる。具体的には、スタートボタンＢ１が押された時点で設定されている動作条件に基づき、制御部７は、原稿の読取りを原稿読取り部１に実行させると共に、原稿読取り部１にて生成される画像データに対する画像処理を画像処理部３に実行させる（図１７のステップＳ４１３）。その後、制御部７は、スタートボタンＢ１が押された時点で設定されている動作条件に基づき、画像処理後の画像データの送信を送受信部８２に実行させる（図１７のステップＳ４１４）。尚、本実施形態において、スタートボタンＢ１は、第１〜第２指定画面及び第７〜第１０詳細設定画面の何れにも表示されており、どの画面からでもスキャンを開始することが可能である。
【０１２２】
本実施形態において、設定画面（図１６参照）には、スタートボタンＢ１の他にプレビューボタンＢ２及びリセットボタンＢ３が更に表示される。そして、設定画面にてプレビューボタンＢ２が押されたとき、制御部７は、スキャンイメージを含むプレビュー画面をタッチディスプレイパネル５１に表示させる。ここで、スキャンイメージは、それまでに設定された原稿に関する条件でスキャンが実行されたときに得られるであろう出力結果を、視覚的に認識することを可能ならしめるものである。一方、設定画面にてリセットボタンＢ３が押されたとき、制御部７は、それまでに設定された原稿に関する条件をリセットしてデフォルトに戻す。尚、本実施形態において、プレビューボタンＢ２は、第１〜第２指定画面及び第７〜第１０詳細設定画面の何れにも表示されており、どの画面からでもプレビュー画面を表示させることができる。
【０１２３】
制御部７の上記処理によれば、原稿に関する条件（天辺の向き）の設定時に第１及び第２指定画面が選択的に表示されることにより、原稿台１１にセットされた原稿と用紙の向きが一致したイメージ像が描かれているアイコンが表示される。又、原稿に関する条件（読取り面、原稿綴じ位置）の設定時に第７〜第１０詳細設定画面が選択的に表示されることにより、原稿台１１にセットされている原稿と用紙の向き及び天辺の向きが一致したイメージ像が描かれているアイコンが表示される。従って、ユーザは、アイコンの各々に描かれているイメージ像から、そのアイコンに対応付けられている条件内容を容易に認識することができる。よって、ユーザは、表示されているアイコンの中から、原稿の読取りに関する意図した条件内容に対応するものを容易に選択することができる。その結果として、本実施形態の画像形成装置では、動作条件（特に原稿に関する条件）に関する設定の正確性が向上することになる。
【０１２４】
［３］他の実施形態
［３−１］第３実施形態
上述した第２実施形態の制御は、ファクシミリ送信機能の選択時において原稿に関する条件を設定する場合にも適用することが可能である。
【０１２５】
［３−２］第４実施形態
上述した制御部７として、マイクロコンピュータ等、様々な制御処理装置を採用することができる。又、制御部７が行う処理は、画像形成装置に制御プログラムを実行させることにより、実現されてもよい。そして、その様な制御プログラムは、読み取り可能な状態で記録媒体（ハードディスクやメモリカード等）に記録されていてもよい。
【０１２６】
上述の実施形態の説明は、フローチャートに示された処理を含め、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【符号の説明】
【０１２７】
１  原稿読取り部
５  操作部
７  制御部
１１  原稿台
５１  タッチディスプレイパネル
８１  印刷処理部
【図１】
0006670610.tif 000002
【図２】
0006670610.tif 000003
【図３】
0006670610.tif 000004
【図４】
0006670610.tif 000005
【図５】
0006670610.tif 000006
【図６】
0006670610.tif 000007
【図７】
0006670610.tif 000008
【図８】
0006670610.tif 000009
【図９】
0006670610.tif 000010
【図１０】
0006670610.tif 000011
【図１１】
0006670610.tif 000012
【図１２】
0006670610.tif 000013
【図１３】
0006670610.tif 000014
【図１４】
0006670610.tif 000015
【図１５】
0006670610.tif 000016
【図１６】
0006670610.tif 000017
【図１７】
0006670610.tif 000018
【図１８】
0006670610.tif 000019
【図１９】
0006670610.tif 000020